(57)【要約】【課題】簡単な構成でしかも作業性良く安定して３本の平行な架線の間隔を拡幅することができる架線拡幅具を提供する。【解決手段】互いに平行な３本の既設架線２ａ〜２ｃの相互の間隔を拡幅する架線拡幅具１であって、１本の本体ロッド３の一端部とほぼ中央部に、架線２ａ、２ｂを把持する架線把持手段４、５を回転自在に設け、本体ロッド３の両架線把持手段４、５の中間位置に本体ロッド３の一端側３ａを回動自在に連結して本体ロッド３を一直線状に伸展した状態と本体ロッドの一端側を折り曲げた状態との間で伸展・折曲可能とする折曲部１０を設け、本体ロッド３の他端部に、架線２ｃを相対移動自在に保持する可動保持手段１４を回転自在に設けるとともに、本体ロッド３の他端部を移動操作する遠隔操作工具の先端を係合させる係合部２０を設けた。【選択図】図６
2010288399.tif 000002
【特許請求の範囲】
【請求項１】
互いに平行な３本の架線の相互の間隔を拡幅する架線拡幅具であって、
１本の本体ロッドの一端部とほぼ中央部に、架線を把持する架線把持手段を本体ロッドの軸心に対して垂直な回転軸心回りに回転自在に設け、
本体ロッドの両架線把持手段の中間位置に、前記回転軸心と平行な軸心の回りに本体ロッドの一端側を回動自在に連結し、本体ロッドを一直線状に伸展した状態と本体ロッドの一端側を折り曲げた状態との間で伸展・折曲可能とする折曲部を設け、
本体ロッドの他端部に、架線を相対移動自在に保持する可動保持手段を前記回転軸心と平行な軸心回りに回転自在に設けるとともに、本体ロッドの他端部を移動操作する遠隔操作工具の先端を係合させる係合部を設けた
ことを特徴とする架線拡幅具。
【請求項２】
本体ロッドの他端部の可動保持手段に、架線を把持する把持手段を設けたことを特徴とする請求項１記載の架線拡幅具。
【請求項３】
本体ロッドの一端側を回動自在に支持する折曲部の枢支軸を、本体ロッドの軸心に対して偏心した本体ロッドの側部に配置したことを特徴とする請求項１記載の架線拡幅具。
【請求項４】
折曲部に、本体ロッドの一端側が他の部分に並列した姿勢から適当角度開いた位置より並列した姿勢に向けて閉じないように本体ロッドの一端側に係合する係合手段を設けたことを特徴とする請求項１記載の架線拡幅具。
【請求項５】
折曲部に、本体ロッドを一直線状に伸展した状態で係止する係止手段を設けたことを特徴とする請求項１記載の架線拡幅具。
【請求項６】
請求項１記載の架線拡幅具を用いて互いに平行な３本の架線の相互の間隔を拡幅する架線拡幅保持方法であって、
本体ロッドの一端側を折曲部で折り曲げた状態で、本体ロッドの中央部の架線把持手段にて中間の架線を把持する工程と、
本体ロッドを架線に対して傾斜させ、本体ロッドの他端部の可動保持手段を一方の外側の架線に係合させる工程と、
本体ロッドの一端側を折り曲げた状態から開いて一端部の架線把持手段にて他方の外側の架線における中間の架線の把持位置に対向する位置を把持する工程と、
本体ロッドの他端部の係合部に遠隔操作工具の先端を係合させて本体ロッドの他端部を移動操作し、本体ロッドを一直線状に伸展した状態とする工程と、
本体ロッドの他端部の把持手段にて架線を把持する工程とを有する
ことを特徴とする架線拡幅保持方法。
【発明の詳細な説明】
【技術分野】
【０００１】
本発明は、互いに平行に架設された３本の架線に対して、例えば配線の切分工事を行う際などに、３本の架線の相互の間隔を拡幅して保持する架線拡幅具、及びこれを用いて架線を拡幅して保持する架線拡幅保持方法に関するものである。
【背景技術】
【０００２】
互いに平行に架設された３本の架線にバイパスケーブル線などを接続する切分工事を行う際に、切分工事を行う配線箇所の電源供給側回路を遮断した状態で工事を行うと、その工事中に広範囲の電力需要者に停電の影響が及ぶため、架線に電源を供給した活線状態で高い絶縁性を有する遠隔操作工具によって遠隔操作しながら配線する工法（以下、ホットスティック工法と称する）を採用することが好ましい。このホットスティック工法を採用するためには、切分工具の取り付けや取り外しを容易に行えるように、比較的狭い間隔で配線されている３本の架線の間の間隔を拡幅する必要がある。
【０００３】
鉛直面内あるいは水平面内で互いに平行に架設された３本の架線の間隔を拡幅するための従来の架線拡幅具として、１本の本体ロッドのほぼ中央部に中央の架線を把持する架線把持手段を本体ロッドの軸心に対して垂直な軸心回りに回転自在に取付け、架線把持手段の配置位置から架線を拡幅すべき間隔に相当する距離だけ離れた本体ロッドの両端部にそれぞれ、外側の架線を相対移動自在に保持する状態と把持状態とに切り換えることができる架線保持把持切換手段を上記架線把持手段の回転軸心と平行な軸心回りに回転自在に取付け、本体ロッドの一端に、遠隔操作工具を係合させて本体ロッドを回動操作する係合部を設けたものが知られている（例えば、特許文献１参照）。
【０００４】
この架線拡幅具を用いると、本体ロッドの中央部の架線把持手段にて中央の架線を把持し、本体ロッドを架線に対して斜め姿勢にして両端部の架線保持把持切換手段にてそれぞれ外側の架線を相対移動自在に保持した状態にし、その後遠隔操作工具を係合部に係合させて本体ロッドを中央部の架線把持手段を中心にして回動操作して中央の架線に対して本体ロッドを略垂直な姿勢にすることで、中央の架線と外側の架線との間の間隔を拡幅して所望の間隔を確保することができ、その状態で架線保持把持切換手段を架線把持状態に切り換えることで、架線を所望の間隔に安定して保持することができる。しかも、本体ロッドの中央部に架線把持手段を、両端部に架線保持把持切換手段を配設した単純な構成であり、架線間隔を広げるために本体ロッドに伸縮機構を設けた複雑で高価な構成とする必要がないため低コストにて構成できるとともに、手間のかかる伸縮操作を行う必要がないために高い作業性を確保することができる。
【先行技術文献】
【特許文献】
【０００５】
【特許文献１】特開２００４−１５８７７号公報
【発明の概要】
【発明が解決しようとする課題】
【０００６】
ところが、上記従来の架線拡幅具では、遠隔操作工具を係合部に係合させて本体ロッドの中央部の架線把持手段を中心にして本体ロッドを回動操作する際に、垂直な姿勢まで回動しなかったり、垂直な姿勢を超えて回動し過ぎた場合には、外側の架線の張力によって本体ロッドが中央の架線に対して略垂直な姿勢から離れて行く方向に回動付勢されるため、本体ロッドを中央の架線に対して略垂直な姿勢で停止させることが容易でなく、熟練した作業者が慎重に作業する必要があり、作業性が良くないという問題がある。
【０００７】
本発明は、上記従来の課題に鑑み、簡単な構成でしかも作業性良く安定して３本の平行な架線の間隔を拡幅することができる架線拡幅具及び架線拡幅保持方法を提供することを目的とする。
【課題を解決するための手段】
【０００８】
本発明の架線拡幅具は、互いに平行な３本の架線の相互の間隔を拡幅する架線拡幅具であって、１本の本体ロッドの一端部とほぼ中央部に、架線を把持する架線把持手段を本体ロッドの軸心に対して垂直な回転軸心回りに回転自在に設け、本体ロッドの両架線把持手段の中間位置に、前記回転軸心と平行な軸心の回りに本体ロッドの一端側を回動自在に連結し、本体ロッドを一直線状に伸展した状態と本体ロッドの一端側を折り曲げた状態との間で伸展・折曲可能とする折曲部を設け、本体ロッドの他端部に、架線を相対移動自在に保持する可動保持手段を前記回転軸心と平行な軸心回りに回転自在に設けるとともに、本体ロッドの他端部を移動操作する遠隔操作工具の先端を係合させる係合部を設けたものである。
【０００９】
この構成によれば、本体ロッドの一端側を折り曲げた状態で、本体ロッドの略中央部の架線把持手段にて中央の架線を把持し、本体ロッドを架線に対して斜め姿勢にしてその他端部の可動保持手段を一方の外側の架線に係合させて架線拡幅具を架線に装着し、次に本体ロッドの一端側を回動させて一端部の架線把持手段にて、他方の外側の架線における上記略中央部の架線把持手段による把持位置にほぼ対向した位置を把持し、次に本体ロッドの他端部の係合部に遠隔操作工具の先端を係合させて本体ロッドの他端部を移動操作し、本体ロッドを架線に対して略垂直姿勢になるように回動させることで、本体ロッドの中間部と一端部で架線把持手段にて架線を把持しているので、本体ロッドの回動に伴ってこれらの架線把持手段の中間の折曲部が伸展されて本体ロッドの一端側が他の部分に対して一直線状となり、中央の架線に対して両外側の架線が押し広げられてそれらの間隔が拡幅される。かくして、１本の本体ロッドの中央部と一端部に架線把持手段を配設し、それらの中間位置に屈曲部を設け、他端部に可動保持手段と係合部を配設した簡単な構成であるため安価に構成できるとともに、一端部と略中央部の２つの架線把持手段にて２本の架線を把持しているので本体ロッドの他端部を単純に移動操作するだけで３本の架線の間隔を確実に拡幅することができて作業性を向上することができる。
【００１０】
また、本体ロッドの他端部の可動保持手段に、架線を把持する把持手段を設けると、３本の架線を拡幅した状態でそれぞれ把持手段にて把持することで拡幅状態を安定して保持することができる。
【００１１】
また、本体ロッドの一端側を回動自在に支持する折曲部の枢支軸を、本体ロッドの軸心に対して偏心した本体ロッドの側部に配置すると、本体ロッドが一直線状に伸展した状態で、外側の架線の張力によって本体ロッドの両端から圧縮力が作用しても、本体ロッドの伸展状態を保持するように作用して折り曲げるようには作用しないので、拡幅操作時における本体ロッドの伸展状態の安定化を図ることができる。
【００１２】
また、折曲部に、本体ロッドの一端側が他の部分に並列した姿勢から適当角度開いた位置より並列した姿勢に向けて閉じないように本体ロッドの一端側に係合する係合手段を設けると、本体ロッドの中央部の架線把持手段にて中央の架線を把持させる前に、予め係合手段にて本体ロッドの一端側がある程度開いた状態としておくことで、その後本体ロッドの一端部の架線把持手段を一方の外側の架線に向けて移動させる際に本体ロッドの一端側を他の部分に対して容易に回動させることができ、作業性を向上することができる。
【００１３】
また、折曲部に、本体ロッドを一直線状に伸展した状態で係止する係止手段を設けると、本体ロッドの伸展状態で係止手段にて係止しておくことで、３本の架線の拡幅状態をさらに安定して確保でき、その後の切分工事などを一層安全に行うことができる。
【００１４】
また、本発明の架線拡幅保持方法は、上記架線拡幅具を用いて互いに平行な３本の架線の相互の間隔を拡幅する架線拡幅保持方法であって、本体ロッドの一端側を折曲部で折り曲げた状態で、本体ロッドの中央部の架線把持手段にて中間の架線を把持する工程と、本体ロッドを架線に対して傾斜させ、本体ロッドの他端部の可動保持手段を一方の外側の架線に係合させる工程と、本体ロッドの一端側を折り曲げた状態から開いて一端部の架線把持手段にて他方の外側の架線における中間の架線の把持位置に対向する位置を把持する工程と、本体ロッドの他端部の係合部に遠隔操作工具の先端を係合させて本体ロッドの他端部を移動操作し、本体ロッドを一直線状に伸展した状態とする工程と、本体ロッドの他端部の把持手段にて架線を把持する工程とを有するものである。
【００１５】
この構成によれば、本体ロッドの中間部と一端部の架線把持手段にてそれぞれ架線を把持し、他端部の可動保持手段にて架線を相対移動自在に保持した状態で、本体ロッドの他端部を移動操作して本体ロッドを回動させることで、本体ロッドの折曲部が伸展されて本体ロッドの一端側が他の部分に対して一直線状となり、中央の架線に対して両外側の架線が押し広げられてそれらの間隔が拡幅されるので、簡単かつ安価な構成の架線拡幅具を用いて作業性良く３本の架線の間隔を確実に拡幅することができる。
【発明の効果】
【００１６】
本発明の架線拡幅具及び架線拡幅保持方法によれば、１本の本体ロッドの中央部と一端部に架線把持手段を配設し、それらの中間位置に屈曲部を設け、他端部に可動保持手段と係合部を配設した簡単な構成であるため安価に構成できるとともに、一端部と略中央部の２つの架線把持手段にて２本の架線を把持しているので本体ロッドの他端部を単純に移動操作するだけで３本の架線の間隔を確実に拡幅することができて作業性を向上することができる。
【図面の簡単な説明】
【００１７】
【図１】本発明の架線拡幅具の一実施形態を示し、（ａ）は長手方向に一部を破断して示した側面図、（ｂ）は同正面図。
【図２】同実施形態の折曲部において、本体ロッドの一端側を一直線状に保持した状態を示す斜視図。
【図３】同実施形態の折曲部において、本体ロッドの一端側を若干開いた位置に規制した状態を示す斜視図。
【図４】同実施形態の本体ロッドの一端側を折り曲げた状態を示し、（ａ）は長手方向に一部を破断して示した側面図、（ｂ）は折曲部を拡大して示した斜視図。
【図５】同実施形態の架線拡幅具を用いて架線間隔を拡幅するため架線拡幅具を取り付けた状態を示す正面図。
【図６】同実施形態の架線拡幅具を用いて架線間隔を拡幅する途中の工程を示す正面図。
【図７】同実施形態の架線拡幅具を用いて架線間隔を拡幅した状態を示す正面図。
【図８】他の実施形態の折曲部を示す斜視図。
【図９】同実施形態の折曲部における係合ピンを示すを示す一部断面側面図。
【図１０】同実施形態の折曲部において、本体ロッドの一端側を折り曲げて他の部分と並行にした状態を示す一部断面正面図。
【図１１】同実施形態の折曲部において、本体ロッドの一端側を若干開いた位置に規制した状態を示す一部断面正面図。
【発明を実施するための形態】
【００１８】
以下、本発明の架線拡幅具及びそれを用いた架線拡幅保持方法の一実施形態について、図１〜図７を参照して説明する。
【００１９】
図１〜図４において、１は、互いに平行な３本の既設の架線２ａ、２ｂ、２ｃの相互の間隔を拡幅するために用いる架線拡幅具であり、１本の本体ロッド３の一端部とほぼ中央部にそれぞれ架線把持手段４、５が取付けられている。これら架線把持手段４、５は、略Ｃ字状で、その一端部の架線受け部６ａに架線２ａ、２ｂを受け入れて保持する受け部材６と、受け部材６の他端部を貫通して螺合されるとともに、先端に架線押圧部７ａを、他端に回転操作リング７ｂを有する押圧ねじ軸７と、受け部材６を本体ロッド３に対して本体ロッド３の軸心及び架線２ａ、２ｂに対して垂直な軸心回りに回転自在に取り付ける回転支軸８にて構成されている。
【００２０】
本体ロッド３は、両架線把持手段４、５の取付位置の中間位置で、一端側３ａと他の部分３ｂとに２分割されるとともに、その分割部に配設された折曲部１０にて一端側３ａが他の部分３ｂに対して、図１、図２に示すように一直線状に伸展した状態と、図３、図４に示すように、一端側３ａが他の部分３ｂの側部に沿った折り曲げた状態との間で、伸展・折曲可能となるように回動自在に連結されている。折曲部１０は、他の部分３ｂの連結端部に装着固定された、軸心方向から見た形状が、本体ロッド３の３方を取り囲むとともに本体ロッド３の側部に突出する突出端部１１ａを有するコ字状の連結ブラケット１１と、一端側３ａの連結端部に装着固定され、かつ一部が連結ブラケット１１内に嵌合されるとともに本体ロッド３の側部に突出する突出部１２ａを有する連結ブロック１２と、連結ブラケット１１の突出端部１１ａと連結ブロック１２の突出部１２ａを貫通して連結ブロック１２を連結ブラケット１１に対して回動自在に連結する枢支軸１３にて構成され、枢支軸１３の軸心は回転支軸８と平行である。
【００２１】
本体ロッド３の他端部には、架線２ｃを相対移動自在に保持する可動保持手段１４が回転支軸８と平行な回転支軸１５回りに回転自在に取付けられている。可動保持手段１４は、本体ロッド３の他端側に開放したコ字状の可動ブラケット１６が回転支軸１５にて回転自在に取付けられるとともに、架線２ｃを相対移動自在に係合する鼓型の保持ローラ１７がこの可動ブラケット１６にて回転自在に支持されている。また、可動ブラケット１６から本体ロッド３の他端側に向けて斜め外方にＬ字状の取付部材１８が延出され、この取付部材１８の先端の屈曲部に設けられたボス部１８ａを貫通して、先端に架線押圧部１９ａを、他端に回転操作リング１９ｂを有する押圧ねじ軸１９が螺合されている。この架線押圧部１９ａと保持ローラ１７との間で架線２ｃを把持できるように構成され、保持ローラ１７と押圧ねじ軸１９にて架線２ｃの把持手段２０が構成されている。
【００２２】
本体ロッド３の他端の両側には、本体ロッド３の他端部を移動操作する遠隔操作工具（図示せず）の先端を係合させる係合部２１が設けられている。また、本体ロッド３の他端には、引き出し線を吊り下げ支持する吊り下げ紐（図示せず）を掛ける掛け止めフック２２が設けられている。この掛け止めフック２２には吊り下げ紐（図示せず）の脱落防止片２２ａが閉じる方向に付勢されて配設され、かつ脱落防止片２２ａを開く方向に操作するための操作リング２２ｂが設けられている。
【００２３】
折曲部１０には、図１、図２に示すように本体ロッド３の一端側３ａと他の部分３ｂを一直線状に伸展した状態で係止する係止手段２３が設けられている。この係止手段２３は、図２〜図４に示すように、本体ロッド３の一端側３ａ側を一直線状に伸展したときに連結ブラケット１１内に嵌合する連結ブロック１２の部分に形成された係止穴２４と、この係止穴２４に挿入した位置と抜き出した位置との間で出退可能に連結ブラケット１１に配設された係止ピン２５にて構成され、係止ピン２５には遠隔操作具にて出退操作するための操作リング２５ａが設けられている。
【００２４】
また、折曲部１０には、図３に示すように、本体ロッド３の一端側３ａが他の部分３ｂに並列した図４に示す状態から一端側３ａを適当角度開いた状態で、図４に示す並列した姿勢に向けて閉じることがないように、本体ロッド３の一端側３ａの連結ブロック１２に係合する係合手段２６が設けられている。この係合手段２６は、図２、図３に示すように連結ブラケット１１内に挿入されて連結ブロック１２に係合する位置と、図４に示すように連結ブラケット１１内から引き出されて連結ブロック１２に係合しない位置との間で出退可能に連結ブラケット１１に配設された係合ピン２７にて構成され、係合ピン２７には出退操作するための操作ノブ２７ａが設けられている。
【００２５】
なお、本体ロッド３は、高い電気絶縁性を有するとともに吸湿性が少なくかつ強度を有する、例えばエポキシ樹脂系強化プラスチック（ＦＲＰ）から成る肉厚２ｍｍ以上のパイプ材にて構成されている。また、架線把持手段４、５及び可動保持手段１４の下部位置に、雨天での作業時の雨切り２８が設けられている。
【００２６】
次に、以上の構成の架線拡幅具１を用いて、平行な３本の架線２ａ〜２ｃの間隔を拡幅する作業工程を図５〜図７を参照して説明する。まず、本体ロッド３の一端側３を折曲部１０で折り曲げるとともに、その一端側３ａが他の部分３ｂに並列した図４に示す姿勢から適当角度開いた状態にし、かつ係合手段２６の係合ピン２７を挿入状態にして図３に示すように、図４に示す並列した姿勢に向けて閉じることがない状態にセットしておく。その状態の架線拡幅具１を、架線２ａ〜２ｃの切分工事を行うためにそれらの間隔を拡幅すべき箇所に遠隔操作具（図示せず）にて配置し、図５に示すように、本体ロッド３の中央部の架線把持手段５にて中間の架線２ｂを把持する。その際には、受け部材６の架線受け部６ａに架線２ｂを挿入して保持させた後、押圧ねじ軸７を遠隔操作具（図示せず）にて回転操作することで、架線受け部６ａと架線押圧部７ａの間で架線２ｂを把持する。
【００２７】
次に、本体ロッド３を架線２ａ〜２ｃに対して傾斜した姿勢にして、本体ロッド３の他端部の可動保持手段１４を下側の架線２ｃに係合させる。その際には、可動ブラケット１６にて回転自在に支持されている保持ローラ１７に架線２ｃを係合させる。次に、図６に示すように、本体ロッド３の一端側３ａを折り曲げた状態から開き、本体ロッド３の一端部の架線把持手段４にて上側の架線２ａを把持する。この架線把持手段４による架線２ａの把持位置は、上記架線把持手段５による架線２ｂの把持位置に対向する位置であり、把持操作は、上記架線把持手段５の場合と同様である。
【００２８】
その後、本体ロッド３の他端部の係合部２１に遠隔操作工具（図示せず）の先端を係合させ、図６に一点鎖線の矢印で示すように、本体ロッド３の他端部を本体ロッド３が架線２ａ〜２ｃに対して垂直姿勢となるように移動操作する。すると、架線把持手段４、５が架線２ａ、２ｂの互いに対向する位置を把持して位置固定されているので、本体ロッド３の他の部分３ｂが架線２ｂに対して垂直になるのに伴って、屈曲部１０を介して一端側３ａも架線２ａに対して垂直になるように回動して、図７に示すように、一端側３ａが他の部分３ｂに対して一直線状に伸展した状態となるとともに、架線２ａ、２ｂ間、２ｂ、２ｃ間の間隔が拡幅される。その後、本体ロッド３の他端部の把持手段２０の押圧ねじ軸１９を回転操作して架線２ｃを把持し、また係止手段２３の係止ピン２５を係止穴２４に挿入して本体ロッド３を伸展した状態で固定する。
【００２９】
このように架線２ａ〜２ｃの間隔を架線拡幅具１で拡幅した状態で、３本の架線２ａ〜２ｃにバイパスケーブル線などを接続する切分工事が実施される。その際、架線２ａ〜２ｃに電源を供給した活線状態で絶縁遠隔操作工具によって遠隔操作するホットスティック工法を適用しながら安全に作業性良く作業することができる。
【００３０】
切分工事の所定作業が終了すると、以上の操作とは逆に、把持手段２０による架線２ｃの把持を解除して可動保持手段１４を相対移動可能な状態にするとともに、係止ピン２７を引き抜いて折曲部１０で本体ロッド３を折り曲げ可能な状態にして本体ロッド３を逆方向に回動させることで、図７の状態から図６の状態に戻し、次に本体ロッド３の一端部の架線把持手段４による架線２ａの把持を解除して一端側３ａを折曲部１０で回動させて図５に示す折り曲げ状態とし、次に可動保持手段１４の架線２ｃに対する係合を解除し、架線把持手段５による架線２ｂの把持を解除して架線拡幅具１を取り外して地上に降ろし、その後図４（ｂ）に示すように、係合ピン２７を引き抜くことで、図４（ａ）、（ｂ）に示すように、本体ロッド３の一端側３ａを他の部分３ｂの側部に沿った状態に折り畳むことによって、コンパクトな状態で工具袋などに収容して持ち運ぶことができる。
【００３１】
以上の本実施形態の架線拡幅具１によれば、１本の本体ロッド３の中央部と一端部に架線把持手段４、５を配設し、それらの中間位置に屈曲部１０を設け、他端部に可動保持手段１４と係合部２１を配設した簡単な構成であるため、安価に製造することができ、しかも、一端部と略中央部の２つの架線把持手段４、５にて２本の架線２ａ、２ｂを把持することで、本体ロッド３の他端部を単純に移動操作するだけで３本の架線２ａ〜２ｃの間隔を確実に拡幅することができて作業性を向上することができる。
【００３２】
また、本体ロッド３の他端部の可動保持手段１４に、架線２ｃを把持する把持手段２０を設けているので、３本の架線２ａ〜２ｃ間の間隔を拡幅した状態でそれぞれ架線把持手段４、５と把持手段２０にて架線２ａ〜２ｃを把持することで拡幅状態を安定して保持することができる。さらに、折曲部１０に、本体ロッド３を一直線状に伸展した状態で係止する係止手段２３を設け、本体ロッド３の伸展状態で係止手段２３にて係止するようにしているので、３本の架線２ａ〜２ｃの拡幅状態をさらに安定して確保でき、その後の切分工事などを一層安全に行うことができる。
【００３３】
また、本体ロッド３の一端側３ａを回動自在に支持する屈曲部１０の枢支軸１３を、本体ロッド３の軸心に対して偏心した本体ロッド３の側部に配置しているので、本体ロッド３を一直線状に伸展させたときに、その状態で外側の架線２ａ、２ｃの張力によって本体ロッド３の両端から圧縮力が作用しても、折曲部１４での折り曲げに対して本体ロッド３の伸展状態を保持するように作用するため、架線２ａ〜２ｃ拡幅操作時における本体ロッド３の伸展状態の安定化を図ることができる。
【００３４】
また、折曲部１０に、本体ロッド３の一端側３ａが他の部分３ｂに並列した姿勢から適当角度開いた位置で本体ロッド３の一端側３ａの連結ブロック１２が係合する係合手段２６としての係合ピン２７を設け、架線拡幅具１を作業位置に配置する前に予め係合ピン２７にて本体ロッド３の一端側３ａがある程度開いた状態にしておけるようにしているので、本体ロッド３の中央部の架線把持手段５にて中央の架線２ｂを把持させた後、本体ロッド３の一端部の架線把持手段４を外側の架線２ａに向けて移動させる際に本体ロッド３の一端側３ａを他の部分３ｂに対して容易に回動させることができ、作業性を向上することができ、かつ収納時には係合ピン２７を非係合位置に引き出すことで、本体ロッド３の一端側３ａを他の部分３ｂに並列した姿勢にしてコンパクトに収納することができる。
【００３５】
上記折曲部１０は、図８〜図１１に示す実施例のように構成することができる。この実施例は、図２〜図４に示す折曲部１０と同様に、コ字状の連結ブラケット１１と、前記一端側３ａの連結端部に装着固定され、かつ一部が連結ブラケット１１内に嵌合されるとともに本体ロッド３の側部に突出する突出部１２ａを有する連結ブロック１２と、連結ブラケット１１の突出端部１１ａと連結ブロック１２の突出部１２ａを貫通して連結ブロック１２を連結ブラケット１１に対して回動自在に連結する枢支軸１３を有している。
【００３６】
また、折曲部１０には、本体ロッド３の一端側３ａと他の部分３ｂを一直線状に伸展した状態で係止する係止手段２３が設けられている。この係止手段２３は、図２〜図４に示す係止手段と同様に、本体ロッド３の一端側３ａ側を一直線状に伸展したときに連結ブラケット１１内に嵌合する連結ブロック１２の部分に形成された係止穴２４と、この係止穴２４に挿入した位置と抜き出した位置との間で出退可能に連結ブラケット１１に配設された係止ピン２５にて構成され、係止ピン２５には遠隔操作具にて出退操作するための操作リング２５ａが設けられている。
【００３７】
また、折曲部１０には、図１１に示すように、本体ロッド３の一端側３ａが他の部分３ｂに並列した図１０に示す状態から一端側３ａを適当角度開いた状態で、図１０に示す並列した姿勢に向けて閉じることがないように、本体ロッド３の一端側３ａの連結ブロック１２に係合する係合手段２６が設けられている。この係合手段２６は、図９、図１０、図１１に示すように連結ブラケット１１のボス部２７ｇに、回転可能に軸支された係合ピン２７ｃを備えている。この係合ピン２７ｃの軸部横断面形状は半円であって、図１０に示す回転位置では、その切欠平面２７ｅが、連結ブロック１２の係合辺１２ｂに当接し、前記一端部３ａと前記他の部分３ｂとが並列下状態となるようにし、図１１に示す回転位置では、その円周面２７ｆが、連結ブロック１２の係合辺１２ｂに当接し、前記一端部３ａと前記他の部分３ｂとが適当角度開いた位置に保持されるように構成されている。
【００３８】
前記係合ピン２７ｃには、これを回転操作するための操作ノブ２７ｄが設けられ、また、係合ピン２７ｃを図１０、図１１のそれぞれの位置に保持するためのボールプランジャー２７ｘが設けられ、このボールプランジャー２７ｘのボールを係止するために、所定回転位置に形成された２つの孔２７ｈ、２７ｉが、前記ボス部２７ｇに設けられている。
【産業上の利用可能性】
【００３９】
本発明の架線拡幅具及び架線拡幅保持方法は、１本の本体ロッドの中央部と一端部に架線把持手段を配設し、それらの中間位置に屈曲部を設け、他端部に可動保持手段と係合部を配設した簡単な構成であるため安価に構成できるとともに、一端部と略中央部の２つの架線把持手段にて２本の架線を把持することで本体ロッドの他端部を単純に移動操作するだけで３本の架線の間隔を確実に拡幅することができて作業性を向上することができるので、互いに平行な３本の既設架線に対する配線の切分工事を行う際などに、３本の架線の相互の間隔を拡幅して保持するのに好適に適用することができる。
【符号の説明】
【００４０】
１  架線拡幅具
２ａ〜２ｃ  架線
３  本体ロッド
３ａ  一端側
３ｂ  他の部分
４  架線把持手段
５  架線把持手段
８  回転支軸
１０  折曲部
１３  枢支軸
１４  可動保持手段
１５  回転支軸
２０  把持手段
２１  係合部
２３  係止手段
２６  係合手段
【図１】
2010288399.tif 000003
【図２】
2010288399.tif 000004
【図３】
2010288399.tif 000005
【図４】
2010288399.tif 000006
【図５】
2010288399.tif 000007
【図６】
2010288399.tif 000008
【図７】
2010288399.tif 000009
【図８】
2010288399.tif 000010
【図９】
2010288399.tif 000011
【図１０】
2010288399.tif 000012
【図１１】
2010288399.tif 000013